(57)【要約】【課題】発光ダイオードにおいて、十分な放熱性を有し、大電流を流す発光素子のように発熱量が多い発光素子にも対応することができること。【解決手段】発光ダイオード１においては、発光素子２への電力が下面の正負の電極から複数の金バンプ９、回路パターン４ａ，４ｂ、電極接着部分８ａ，８ｂそして電力供給回路５ａ，５ｂによって図示しない電源から供給されて、発光素子２が発光する。このとき発光素子２から発せられる熱は、２個の金バンプ９から回路パターン４ａ，４ｂへ伝えられ、そして高熱伝導性のセラミックス基板としてのＡｌＮ（窒化アルミニウム）基板３の全体を伝わって、放熱板としての放熱板６から空気中へ放散される。なお、発光素子２の周囲には図示しないレンズ系が設けられており、発光素子２の発光面から放射される光を集光する。【選択図】        図１
2004207367.tif 000002
【特許請求の範囲】
【請求項１】
発光素子と、
高熱伝導性のセラミックス基板と、
放熱板とを具備し、
前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものであることを特徴とする発光ダイオード。
【請求項２】
前記発光素子が前記セラミックス基板にフリップ構造でマウントされていることを特徴とする請求項１に記載の発光ダイオード。
【請求項３】
前記放熱板は金属製であり、前記セラミックス基板の外側で波形に折り曲げられていることを特徴とする請求項１または請求項２に記載の発光ダイオード。
【請求項４】
前記放熱板に複数の貫通孔が穿設されていることを特徴とする請求項１乃至請求項３のいずれか１つに記載の発光ダイオード。
【請求項５】
前記放熱板は金属製であり、前記放熱板に切り込みを入れて前記放熱板に対して折り曲げてなる放熱フィンが形成されていることを特徴とする請求項１乃至請求項４のいずれか１つに記載の発光ダイオード。
【請求項６】
貫通孔が形成された回路基板に、発光素子と、高熱伝導性のセラミックス基板と、放熱板とを具備し、前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものである発光ダイオードが１個以上設置されていることを特徴とする発光ダイオード配列板。
【請求項７】
回路基板に括れた部分を有する貫通孔が穿設され、高熱伝導性のセラミックス基板が前記括れた部分に橋渡しされるとともに前記セラミックス基板の回路パターンと前記回路基板の回路パターンとの導通がとられ、前記セラミックス基板の回路パターン上に発光素子がマウントされ、前記セラミックス基板の下面に前記貫通孔よりも一回り小さい放熱板が前記貫通孔の縁に接触しないように固着されていることを特徴とする発光ダイオード。
【請求項８】
請求項７に記載の発光ダイオードが前記回路基板に複数個配列されていることを特徴とする発光ダイオード配列板。
【請求項９】
前記放熱板に複数の小さい貫通孔が穿設されていることを特徴とする請求項７に記載の発光ダイオードまたは請求項８に記載の発光ダイオード配列板。
【請求項１０】
前記放熱板は金属製であり、前記放熱板に切り込みを入れて前記放熱板に対して折り曲げてなる放熱フィンが形成されていることを特徴とする請求項７に記載の発光ダイオードまたは請求項８に記載の発光ダイオード配列板。
【発明の詳細な説明】
【０００１】
【発明の属する技術分野】
本発明は、発光素子をマウントする基板として熱伝導性に優れたセラミックス基板を用いてさらに放熱板を付けることによって、放熱性を良くして大電流を流す発光素子にも対応することができる発光ダイオードに関するものである。
【０００２】
なお、本明細書中においては、ＬＥＤチップそのものは「発光素子」と呼び、ＬＥＤチップを搭載したパッケージ樹脂またはレンズ系等の光学装置を含む全体を「発光ダイオード」または「ＬＥＤ」と呼ぶこととする。
【０００３】
【従来の技術】
【特許文献１】特開平９−１８１３９４号公報
図９に、従来のフリップチップ型発光ダイオードの一例を示す。図９は従来のフリップチップ型発光ダイオードの一例を示す断面図である。図９に示されるように、このフリップチップ型ＬＥＤ５１は、発光素子５２下面の２つの電極にそれぞれ金バンプ５３を介してアルミナ基板５５上の金メッキ回路パターン５４を接続し、厚さのある１対の金属リード５６の間を金メッキ回路パターン５４で接続している。放熱性を考えると、金属リード５６の間を直接金バンプ５３で接続する構造が望ましいが、かかる隙間は部材の厚さ程度までしか狭くできない。そこで、やむを得ず図９に示すような２段構造をとっているが、この構造では発光素子５２の発した熱の逃げ道が薄いため、やはり放熱性が不足しており、大電流を流す発光素子のように発熱量が多い発光素子には対応できない。
【０００４】
そこで、上記特許文献１に記載の技術においては、同じ光を発するデバイスでもレーザダイオード（以下、「ＬＤ」とも略する。）の例であるが、やはり同一面に正負の両電極が設けられており、しかも正電極と負電極の間に段差があるため、そのままサブマウント（ヒートシンク）にハンダ付けしたのではＬＤが斜めになってしまい、接触面積が小さく放熱性に劣る等の問題があった。これに対して、サブマウントにＬＤとほぼ同じ段差を設けることによって、ＬＤを水平にハンダ付けすることができ、正負の両電極とサブマウントとの接触面積が大きくなり、ＬＤからサブマウントへの放熱性が良くなる。
【０００５】
【発明が解決しようとする課題】
しかしながら、上記特許文献１に記載の技術においても、サブマウントからさらに外部への放熱手段が開示されておらず、ＬＤとサブマウントはほぼ同程度の大きさであるため、このままでは放熱性が不足で発光時にＬＤの温度が上昇してしまうという問題点があった。
【０００６】
そこで、本発明においては、十分な放熱性を有し、大電流を流す発光素子のように発熱量が多い発光素子にも対応することができる発光ダイオード及び発光ダイオード配列板の提供を課題とするものである。
【０００７】
【課題を解決するための手段】
請求項１の発明にかかるＬＥＤは、発光素子と、高熱伝導性のセラミックス基板と、放熱板とを具備し、前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものである。
【０００８】
ここで、高熱伝導性のセラミックスとしては、窒化アルミニウム（ＡｌＮ）等がある。
【０００９】
これによって、発光素子が発光するときに出す熱は、直ちに高熱伝導性のセラミックス基板に伝えられ、さらに放熱板に伝達されて放熱板の表面から空気中に放散される。このように、本発明にかかるＬＥＤは発光素子がマウントされたセラミックス基板全体から熱が伝達されるので、極めて放熱性に優れたものとなる。しかも発光素子がマウントされた位置の裏面の範囲を含んでセラミックス基板と放熱板がコンタクトしているので、より迅速に放熱板まで熱が伝達される。
【００１０】
このようにして、十分な放熱性を有し、大電流を流す発光素子のように発熱量が多い発光素子にも対応することができるＬＥＤとなる。
【００１１】
請求項２の発明にかかるＬＥＤは、請求項１の構成において、前記発光素子が前記セラミックス基板にフリップ構造でマウントされているものである。
【００１２】
したがって、高熱伝導性のセラミックス基板に形成された回路パターンの電極部分に、発光素子の下面に設けられた正負の電極が金バンプ等を介して直接マウントされるので、放熱性に極めて優れた構造となる。
【００１３】
このようにして、十分な放熱性を有し、大電流を流す発光素子のように発熱量が多い発光素子にも対応することができるＬＥＤとなる。
【００１４】
請求項３の発明にかかるＬＥＤは、請求項１または請求項２の構成において、前記放熱板は金属製であり、前記セラミックス基板の外側で波形に折り曲げられているものである。
【００１５】
したがって、金属製の放熱板の波形に折り曲げられた部分が放熱フィンの役目を果たし、放熱板の放熱性がより一層向上する。
【００１６】
このようにして、十分な放熱性を有し、大電流を流す発光素子のように発熱量が多い発光素子にも対応することができるＬＥＤとなる。
【００１７】
請求項４の発明にかかるＬＥＤは、請求項１乃至請求項３のいずれか１つの構成において、前記放熱板に複数の貫通孔が穿設されているものである。
【００１８】
これによって、放熱板周囲の空気の対流が向上し、放熱板の放熱性は一段と向上する。
【００１９】
このようにして、十分な放熱性を有し、大電流を流す発光素子のように発熱量が多い発光素子にも対応することができるＬＥＤとなる。
【００２０】
請求項５の発明にかかるＬＥＤは、請求項１乃至請求項４のいずれか１つの構成において、前記放熱板は金属製であり、前記放熱板に切り込みを入れて前記放熱板に対して折り曲げてなる放熱フィンが形成されているものである。
【００２１】
これによって、放熱フィンと放熱フィンを折り曲げた跡の貫通孔とが相俟って、放熱板の表面積を増すとともに放熱板周囲の空気の対流を向上させることで放熱板の放熱性は飛躍的に向上し、発光素子の熱をさらに効率良く空気中に放散する。
【００２２】
このようにして、十分な放熱性を有し、大電流を流す発光素子のように発熱量が多い発光素子にも対応することができるＬＥＤとなる。
【００２３】
請求項６の発明にかかるＬＥＤ配列板は、貫通孔が形成された回路基板に、発光素子と、高熱伝導性のセラミックス基板と、放熱板とを具備し、前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものである発光ダイオードが１個以上設置されているものである。
【００２４】
これによって、発光素子が発光するときに出す熱は、直ちに高熱伝導性のセラミックス基板に伝えられ、さらに放熱板に伝達されて放熱板の表面から空気中に放散される。このように、本発明にかかるＬＥＤ配列板のＬＥＤは発光素子がマウントされたセラミックス基板全体から熱が伝達されるので、極めて放熱性に優れたものとなる。しかも発光素子がマウントされた位置の裏面の範囲を含んでセラミックス基板と放熱板がコンタクトしているので、より迅速に放熱板まで熱が伝達される。
【００２５】
このようにして、十分な放熱性を有し、大電流を流す発光素子のように発熱量が多い発光素子にも対応することができるＬＥＤ配列板となる。
【００２６】
請求項７の発明にかかるＬＥＤは、回路基板に括れた部分を有する貫通孔が穿設され、高熱伝導性のセラミックス基板が前記括れた部分に橋渡しされるとともに前記セラミックス基板の回路パターンと前記回路基板の回路パターンとの導通がとられ、前記セラミックス基板の回路パターン上に発光素子がマウントされ、前記セラミックス基板の下面に前記貫通孔よりも一回り小さい放熱板が前記貫通孔の縁に接触しないように固着されているものである。
【００２７】
かかる構造によって、発光素子から回路基板の電源線までの導通がとられるとともに、発光時に出た熱は高熱伝導性のセラミックス基板全体を伝わって、セラミックス基板の下面に固着された放熱板に伝達される。この放熱板は発光素子よりずっと大きく表面積も広いため、発光素子から出た熱は放熱板から空気中に放散される。
【００２８】
このようにして、十分な放熱性を有し、大電流を流す発光素子のように発熱量が多い発光素子にも対応することができるＬＥＤとなる。
【００２９】
請求項８の発明にかかるＬＥＤ配列板は、請求項７に記載のＬＥＤが前記回路基板に複数個配列されているものである。
【００３０】
これによって、放熱性に優れたＬＥＤを回路基板上に集積することができ、回路基板は放熱の役割は果たしていないので、ＬＥＤ配列板の使用目的に応じた個数・配列・間隔でＬＥＤを並べることができ、各発光素子に使用目的に応じた光学系を取付けることができる。
【００３１】
このようにして、放熱性に優れたＬＥＤを使用目的に応じて回路基板上に並べることができるＬＥＤ配列板となる。
【００３２】
請求項９の発明にかかるＬＥＤまたはＬＥＤ配列板は、請求項７または請求項８の構成において、前記放熱板に複数の小さい貫通孔が穿設されているものである。
【００３３】
これによって、放熱板の放熱効果がより一層大きくなり、さらに放熱性に優れたＬＥＤ及びＬＥＤ配列板となる。
【００３４】
請求項１０の発明にかかるＬＥＤまたはＬＥＤ配列板は、請求項７または請求項８の構成において、前記放熱板は金属製であり、前記放熱板に切り込みを入れて前記放熱板に対して折り曲げてなる放熱フィンが形成されているものである。
【００３５】
これによって、放熱板の放熱効果がより一層大きくなり、さらに放熱性に優れたＬＥＤ及びＬＥＤ配列板となる。
【００３６】
【発明の実施の形態】
以下、本発明の実施の形態について図面を参照して説明する。
【００３７】
実施の形態１
まず、本発明にかかる発光ダイオードの実施の形態１について、図１乃至図３を参照して説明する。図１（ａ）は本発明の実施の形態１にかかる発光ダイオードの全体構成（両端は省略）を示す平面図、（ｂ）は（ａ）からセラミックス基板を取り除いた状態を示す平面図、（ｃ）は（ａ）のＡ−Ａ断面を示す断面図である。図２（ａ）は本発明の実施の形態１の変形例にかかる発光ダイオードの全体構成（両端は省略）を示す（ｂ）のＢ−Ｂ断面図、（ｂ）は底面図である。図３は本発明の実施の形態１の別の変形例にかかる発光ダイオードの全体構成（両端は省略）を示す側面図である。
【００３８】
図１（ｂ）に示されるように、同一部材をプレス加工することで放熱板６と電力供給端子５ａ，５ｂとを分離形成し、電力供給端子５ａ，５ｂを図示しない電源に接続している。この上に図１（ａ）に示されるように、四隅が４分の１円ずつ打ち抜かれたＡｌＮセラミックス基板（以下、「ＡｌＮ基板」とも略する。）３が接着固定されている。このＡｌＮ基板３には銀メッキで回路パターン４ａ，４ｂが形成されており、右上隅と左下隅では側面から裏面まで回り込んで、前記電極接着部分８ａ，８ｂに当接する位置まで達している。
【００３９】
そして、図１（ｃ）に示されるように、ＡｌＮ基板３の回路パターン４ａ，４ｂの上には、複数の金バンプ９を介して発光素子２がマウントされている。なお、発光素子２の周囲には図示しないレンズ系が設けられており、発光素子２の発光面から放射される光を集光する。以上の構成によって、発光素子２への電力が下面の正負の電極から複数の金バンプ９、回路パターン４ａ，４ｂ、電極接着部分８ａ，８ｂそして電力供給回路５ａ，５ｂによって図示しない電源から供給されて、発光素子２が発光する。このとき発光素子２から発せられる熱は、複数の金バンプ９から回路パターン４ａ，４ｂへ伝えられ、そして高熱伝導性のセラミックス基板としてのＡｌＮ基板３の全体を伝わって、放熱板６から空気中へ放散される。
【００４０】
ここで、放熱板６はＡｌＮ基板３の発光素子２がマウントされている位置の裏面位置がコンタクトされるとともに、ＡｌＮ基板３の下面の大部分の面積でコンタクトされることによって、効率的な外部放熱が実現できている。
【００４１】
このように、高熱伝導性のセラミックス基板であるＡｌＮ基板３に発光素子２をマウントしたことによって、厚手の金属リードの間を直接金バンプ９で接続して発光素子２をマウントする構造と同等の放熱性が得られることになる。また、さらに発光素子２とＡｌＮ基板３との隙間には熱伝導性材料を充填しても良い。
【００４２】
このようにして、本実施の形態１のＬＥＤ１は、十分な放熱性を有し、大電流を流す発光素子のように発熱量が多い発光素子にも対応することができる。
【００４３】
次に、本実施の形態１の変形例にかかるＬＥＤについて、図２を参照して説明する。図２に示されるように、本実施の形態１の変形例にかかるＬＥＤ１５は、放熱板６から上の構造についてはＬＥＤ１と全く同一である。なお、発光素子２の周囲には図示しないレンズ系が設けられており、発光素子２の発光面から放射される光を集光する点も同様である。
【００４４】
異なるのは、図２に示されるように、放熱板６の裏面にピン放熱板１３が接着されている点である。このピン放熱板１３には１０本の放熱ピン１４が設けられており、ピン放熱板１３は発光素子２の真下に位置するので、発光素子２の発光時に発せられる熱がより迅速に放熱ピン１４から空気中に放散される。また、これによって、発熱源に近い箇所の熱の局在を緩和できる。
【００４５】
次に、本実施の形態１の別の変形例にかかるＬＥＤについて、図３を参照して説明する。図３に示されるように、本実施の形態１の別の変形例にかかるＬＥＤ１１は、ＡｌＮ基板３から上の構造についてはＬＥＤ１と全く同一である。なお、発光素子２の周囲には図示しないレンズ系が設けられており、発光素子２の発光面から放射される光を集光する点も同様である。
【００４６】
異なるのは、ＡｌＮ基板３を接着固定した銅合金板からなる放熱板１２が、ＡｌＮ基板３の外側で波形に折り曲げられて放熱フィン１２ａを形成している点である。これによって、発光素子２の発光時に発せられる熱が２個の金バンプ９から回路パターン４ａ，４ｂへ伝えられ、ＡｌＮ基板３の全体を伝わって、放熱板１２へ伝えられると、正面から見た放熱板１２の面積は変わらないが、実質の放熱板１２の面積を広くとれるのでより迅速に放熱フィン１２ａから空気中に放散される。
【００４７】
このようにして、本実施の形態１の変形例ＬＥＤ１１は、発光素子２から出た熱をより迅速に放熱することができ、大電流を流す発光素子のように発熱量が多い発光素子にも対応することができる。
【００４８】
実施の形態２
次に、本発明にかかる発光ダイオードの実施の形態２について、図４を参照して説明する。図４は本発明の実施の形態２にかかる発光ダイオードの全体構成（両端は省略）を示す断面図である。なお、実施の形態１と同一の部分には同一の符号を付して一部説明を省略する。
【００４９】
図４に示されるように、本実施の形態２にかかるＬＥＤ２１は、ガラス製の凸レンズ２２を備えている。このガラスレンズ２２が被せられる発光素子２からＡｌＮ基板３までの構造は、実施の形態１のＬＥＤ１と全く同じである。ガラスレンズ２２の下面には、発光素子２と２個の金バンプ９を収容できる必要最小限の空間と樹脂注入孔２４が設けられている。ここで、ガラスレンズ２２の左端２２ａの部分は最初は取付けられておらず、樹脂注入孔２４は外部へ貫通している。
【００５０】
ＡｌＮ基板３が放熱板６に接着固定された状態でガラスレンズ２２が被せられ、ガラスレンズ２２とＡｌＮ基板３及び放熱板６の接着部分には封着用ガラス（フリット）が塗布されて、高温（４００℃前後）で強固に封着される。なお、マウントされている発光素子２もこの４００℃前後の高温に耐えることができ、発光特性の低下等は全く起こらない。冷却後、樹脂注入孔２４から光透過性樹脂としての透明シリコーン樹脂２３が注入され、空間内に充填されて発光素子２が封止される。その後、透明シリコーン樹脂２３を熱硬化させ、ガラスレンズ２２の左端２２ａの部分を接着することによって、本実施の形態２のＬＥＤ２１が完成する。
【００５１】
こうして製造されたＬＥＤ２１は、集光レンズとして熱膨張率の低いガラスレンズ２２を用いているので、同じく熱膨張率の低いＡｌＮ基板３との相性が良く、温度が急激に変化してもＡｌＮ基板３とガラスレンズ２２が剥がれたりすることはない。
【００５２】
なお、発光素子２を青色発光素子として、青色光を照射されて黄色の蛍光を発する蛍光体を透明シリコーン樹脂２３に混合することによって、青色光と黄色光が混合されて白色光を発するＬＥＤとすることもできる。また、発光素子２及び金バンプ９を封止する光透過性樹脂として透明シリコーン樹脂２３を用いているが、透明エポキシ樹脂を始めとするその他の樹脂材料を用いても良い。
【００５３】
このようにして、本実施の形態２のＬＥＤ２１は、集光性にも優れ、急激な温度変化にも強く、かつ十分な放熱性を有し、大電流を流す発光素子のように発熱量が多い発光素子にも対応することができる。
【００５４】
実施の形態３
次に、本発明にかかる発光ダイオードの実施の形態３について、図５を参照して説明する。図５は本発明の実施の形態３にかかる発光ダイオードの全体構成（両端は省略）を示す断面図である。なお、実施の形態１と同一の部分には同一の符号を付して一部説明を省略する。
【００５５】
図５に示されるように、本実施の形態３にかかるＬＥＤ３１は、実施の形態２と異なり、光透過性樹脂を介さず発光素子２を直接低融点ガラス２５で封止して凸レンズとしている。低融点ガラス２５には様々な種類があるが、融点は大体４００℃前後なので、マウントされている発光素子２もこの４００℃前後の高温に耐えることができ、発光特性の低下等は全く起こらない。また、溶融状態の低融点ガラス２５は光透過性樹脂よりも粘度が高いが、発光素子２は２個の金バンプ９によるフリップチップ構造でマウントされており、ワイヤを用いていないので、レンズ封止金型に溶融状態の低融点ガラス２５を流し込むときにも断線等の心配はない。
【００５６】
また、低融点ガラス２５は溶融状態において、封着用ガラスと同様にＡｌＮ基板３及び放熱板６と強固な接着構造を形成するので、封着用ガラスを用いる必要はない。
【００５７】
こうして製造されたＬＥＤ３１は、集光レンズとして熱膨張率の低い低融点ガラスレンズ２５を用いているので、同じく熱膨張率の低いＡｌＮ基板３との相性が良く、温度が急激に変化してもＡｌＮ基板３と低融点ガラスレンズ２５が剥がれたりすることはない。
【００５８】
このようにして、本実施の形態３のＬＥＤ３１は、製造が容易で集光性にも優れ、急激な温度変化にも強く、かつ十分な放熱性を有し、大電流を流す発光素子のように発熱量が多い発光素子にも対応することができる。
【００５９】
実施の形態４
次に、本発明にかかる発光ダイオード及び発光ダイオード配列板の実施の形態４について、図６乃至図８を参照して説明する。図６は本発明の実施の形態４にかかる発光ダイオードの全体構成及び発光ダイオード配列板の一部を示す平面図である。図７は本発明の実施の形態４の第１変形例にかかる発光ダイオードの全体構成を示す平面図である。図８（ａ）は本発明の実施の形態４の第２変形例にかかる発光ダイオードの全体構成を示す平面図、（ｂ）は（ａ）のＡ−Ａ断面図である。なお、実施の形態１と同一の部分には同一の符号を付して一部説明を省略する。
【００６０】
図６に示されるように、本実施の形態４においては、ガラスエポキシ基板（以下、「ガラエポ基板」とも略する。）３７に長方形を２個つなげた形の貫通孔３７ａが複数個縦横に穿設されている。したがって、長方形がつながる部分は貫通孔３７ａが括れた形状になるので、貫通孔３７ａは本発明の「括れた部分を有する貫通孔」に相当する。この括れた部分にＡｌＮ基板３が橋渡しされて、表面の回路パターン４ａ，４ｂの上に、図示されない複数の金バンプを介して発光素子２がフリップ構造でマウントされている。
【００６１】
さらに、表面の回路パターン４ａの左上隅と表面の回路パターン４ｂの右下隅は、ＡｌＮ基板３の側面から裏面へ回り込んで、ガラエポ基板３７の表面の図示しない回路パターンとハンダ付けされて、導通がとられるとともに固定されている。そして、ＡｌＮ基板３の裏面には貫通孔３７ａより一回り小さい銅合金板からなる放熱板３８がメタライズによって接着されている。なお、発光素子２の周囲には図示しないレンズ系が設けられており、発光素子２の発光面から放射される光を集光する。
【００６２】
こうして本実施の形態４のＬＥＤ３６が形成され、発光素子２が発光する際に出る熱は、熱伝導性に優れたＡｌＮ基板３の全体を伝わって、さらに放熱板３８に伝えられ、放熱板３８の表面から空気中に放散される。このようにして、本実施の形態４のＬＥＤ３６は、十分な放熱性を有し、大電流を流す発光素子のように発熱量が多い発光素子にも対応することができる。
【００６３】
かかるＬＥＤ３６がガラエポ基板３７上に縦横に形成されることによって、ＬＥＤ配列板３５となる。ここで、ガラエポ基板３７により、複数のＬＥＤを整然と配列できるとともに、複数のＬＥＤの回路的な配列を容易に自由に形成することができる。また、各発光素子２に使用目的に応じたレンズ系等の光学系を容易に取付けることも可能にできる。
【００６４】
次に、本実施の形態４の第１変形例にかかるＬＥＤについて、図７を参照して説明する。図７に示されるように、本実施の形態４の第１変形例にかかるＬＥＤ４１も、ガラエポ基板に長方形を２個つなげた形の貫通孔３７ａが穿設されており、長方形がつながる部分は貫通孔３７ａが括れた形状になるので、この括れた部分にＡｌＮ基板３が橋渡しされて、表面の回路パターン４ａ，４ｂの上に、図示されない複数の金バンプを介して発光素子２がフリップ構造でマウントされている。
【００６５】
さらに、表面の回路パターン４ａの左上隅と表面の回路パターン４ｂの右下隅は、ＡｌＮ基板３の側面から裏面へ回り込んで、ガラエポ基板３７の表面の図示しない回路パターンとハンダ付けされて、導通がとられるとともに固定されている。そして、ＡｌＮ基板３の裏面には貫通孔３７ａより一回り小さい銅合金板からなる放熱板４２がハンダ付けされている。なお、発光素子２の周囲には図示しないレンズ系が設けられており、発光素子２の発光面から放射される光を集光する。
【００６６】
ここで、銅合金板からなる放熱板４２には、ほぼ円形の小さい貫通孔４３が多数穿設されている。これによって、放熱板４２周囲の空気の対流が向上し、放熱板４２の放熱性は一段と良くなり、ＡｌＮ基板３を伝わってきた発光素子２の熱をより効率良く空気中に放散する。なお、複数の小さい貫通孔４３の形状は円形に限らず、他の形状でも構わない。
【００６７】
かかるＬＥＤ４１をガラエポ基板に複数個配列すれば、より放熱性に優れたＬＥＤ配列板となる。このようにして、放熱板４２の放熱効果がより一層大きくなり、さらに放熱性に優れたＬＥＤ及びＬＥＤ配列板となる。
【００６８】
次に、本実施の形態４の第２変形例にかかるＬＥＤについて、図８を参照して説明する。図８に示されるように、本実施の形態４の第２変形例にかかるＬＥＤ４６も、ガラエポ基板３７に長方形を２個つなげた形の貫通孔３７ａが穿設されており、長方形がつながる部分は貫通孔３７ａが括れた形状になるので、この括れた部分にＡｌＮ基板３が橋渡しされて、表面の回路パターン４ａ，４ｂの上に、図示されない２個の金バンプを介して発光素子２がフリップチップ構造でマウントされている。
【００６９】
さらに、表面の回路パターン４ａの左上隅と表面の回路パターン４ｂの右下隅は、ＡｌＮ基板３の側面から裏面へ回り込んで、ガラエポ基板３７の表面の図示しない回路パターンとハンダ付けされて、導通がとられるとともに固定されている。そして、ＡｌＮ基板３の裏面には貫通孔３７ａより一回り小さい銅合金板からなる放熱板４７がメタライズによって接着されている。なお、発光素子２の周囲には図示しないレンズ系が設けられており、発光素子２の発光面から放射される光を集光する。
【００７０】
ここで、放熱板４７には多数の長方形の一辺を残した切り込みが入れられて、その一辺において略垂直に下方へ折り曲げられることによって、多数の放熱フィン４９が形成されている。これらの放熱フィン４９と、放熱フィン４９を折り曲げた跡の長方形の貫通孔４８とが相俟って、放熱板４７の表面積を増すとともに空気の対流を向上させることで放熱板４７の放熱性は飛躍的に大きくなり、ＡｌＮ基板３を伝わってきた発光素子２の熱をさらに効率良く空気中に放散する。なお、放熱フィン４９の形状は長方形に限らず、他の形状でも構わない。
【００７１】
かかるＬＥＤ４６をガラエポ基板に複数個配列すれば、より放熱性に優れたＬＥＤ配列板となる。このようにして、放熱板４７の放熱効果がより一層大きくなり、さらに放熱性に優れたＬＥＤ及びＬＥＤ配列板となる。
【００７２】
上記各実施の形態においては、発光素子２として青色発光素子を用いた場合を想定したため、青色の反射率の高い銀メッキで回路パターン４ａ，４ｂを形成しているが、何色の発光素子を用いても構わない。なお、赤色発光素子を用いた場合には、赤色の反射率の高い金メッキで回路パターンを形成するのが望ましい。
【００７３】
また、上記各実施の形態においては、セラミックス基板としてＡｌＮ（窒化アルミニウム）セラミックス基板３を用いた場合について説明したが、熱伝導率が高いセラミックスであればどのようなセラミックス基板を用いても構わない。
【００７４】
さらに、発光ダイオード配列板に用いる基板はガラエポ基板に限らず、セラミックス基板等、他の材料でも構わない。
【００７５】
発光ダイオード及び発光ダイオード配列板のその他の部分の構成、形状、数量、材質、大きさ、接続関係等についても、上記各実施の形態に限定されるものではない。
【００７６】
【発明の効果】
以上説明したように、請求項１の発明にかかるＬＥＤは、発光素子と、高熱伝導性のセラミックス基板と、放熱板とを具備し、前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものである。
【００７７】
ここで、高熱伝導性のセラミックスとしては、窒化アルミニウム（ＡｌＮ）等がある。
【００７８】
これによって、発光素子が発光するときに出す熱は、直ちに高熱伝導性のセラミックス基板に伝えられ、さらに放熱板に伝達されて放熱板の表面から空気中に放散される。このように、本発明にかかるＬＥＤは発光素子がマウントされたセラミックス基板全体から熱が伝達されるので、極めて放熱性に優れたものとなる。しかも発光素子がマウントされた位置の裏面の範囲を含んでセラミックス基板と放熱板がコンタクトしているので、より迅速に放熱板まで熱が伝達される。
【００７９】
このようにして、十分な放熱性を有し、大電流を流す発光素子のように発熱量が多い発光素子にも対応することができるＬＥＤとなる。
【００８０】
請求項２の発明にかかるＬＥＤは、請求項１の構成において、前記発光素子が前記セラミックス基板にフリップ構造でマウントされているものである。
【００８１】
したがって、高熱伝導性のセラミックス基板に形成された回路パターンの電極部分に、発光素子の下面に設けられた正負の電極が金バンプ等を介して直接マウントされるので、放熱性に極めて優れた構造となる。
【００８２】
このようにして、十分な放熱性を有し、大電流を流す発光素子のように発熱量が多い発光素子にも対応することができるＬＥＤとなる。
【００８３】
請求項３の発明にかかるＬＥＤは、請求項１または請求項２の構成において、前記放熱板は金属製であり、前記セラミックス基板の外側で波形に折り曲げられているものである。
【００８４】
したがって、金属製の放熱板の波形に折り曲げられた部分が放熱フィンの役目を果たし、放熱板の放熱性がより一層向上する。
【００８５】
このようにして、十分な放熱性を有し、大電流を流す発光素子のように発熱量が多い発光素子にも対応することができるＬＥＤとなる。
【００８６】
請求項４の発明にかかるＬＥＤは、請求項１乃至請求項３のいずれか１つの構成において、前記放熱板に複数の貫通孔が穿設されているものである。
【００８７】
これによって、放熱板周囲の空気の対流が向上し、放熱板の放熱性は一段と向上する。
【００８８】
このようにして、十分な放熱性を有し、大電流を流す発光素子のように発熱量が多い発光素子にも対応することができるＬＥＤとなる。
【００８９】
請求項５の発明にかかるＬＥＤは、請求項１乃至請求項４のいずれか１つの構成において、前記放熱板は金属製であり、前記放熱板に切り込みを入れて前記放熱板に対して折り曲げてなる放熱フィンが形成されているものである。
【００９０】
これによって、放熱フィンと放熱フィンを折り曲げた跡の貫通孔とが相俟って、放熱板の表面積を増すとともに放熱板周囲の空気の対流を向上させることで放熱板の放熱性は飛躍的に向上し、発光素子の熱をさらに効率良く空気中に放散する。
【００９１】
このようにして、十分な放熱性を有し、大電流を流す発光素子のように発熱量が多い発光素子にも対応することができるＬＥＤとなる。
【００９２】
請求項６の発明にかかるＬＥＤ配列板は、貫通孔が形成された回路基板に、発光素子と、高熱伝導性のセラミックス基板と、放熱板とを具備し、前記放熱板の上に前記セラミックス基板が固着され、前記セラミックス基板の上に前記発光素子がマウントされ、前記セラミックス基板と前記放熱板とのコンタクトは、前記セラミックス基板の前記発光素子がマウントされている位置の裏面の範囲を含むものである発光ダイオードが１個以上設置されているものである。
【００９３】
これによって、発光素子が発光するときに出す熱は、直ちに高熱伝導性のセラミックス基板に伝えられ、さらに放熱板に伝達されて放熱板の表面から空気中に放散される。このように、本発明にかかるＬＥＤ配列板のＬＥＤは発光素子がマウントされたセラミックス基板全体から熱が伝達されるので、極めて放熱性に優れたものとなる。しかも発光素子がマウントされた位置の裏面の範囲を含んでセラミックス基板と放熱板がコンタクトしているので、より迅速に放熱板まで熱が伝達される。
【００９４】
このようにして、十分な放熱性を有し、大電流を流す発光素子のように発熱量が多い発光素子にも対応することができるＬＥＤ配列板となる。
【００９５】
請求項７の発明にかかるＬＥＤは、回路基板に括れた部分を有する貫通孔が穿設され、高熱伝導性のセラミックス基板が前記括れた部分に橋渡しされるとともに前記セラミックス基板の回路パターンと前記回路基板の回路パターンとの導通がとられ、前記セラミックス基板の回路パターン上に発光素子がマウントされ、前記セラミックス基板の下面に前記貫通孔よりも一回り小さい放熱板が前記貫通孔の縁に接触しないように固着されているものである。
【００９６】
かかる構造によって、発光素子から回路基板の電源線までの導通がとられるとともに、発光時に出た熱は高熱伝導性のセラミックス基板全体を伝わって、セラミックス基板の下面に固着された放熱板に伝達される。この放熱板は発光素子よりずっと大きく表面積も広いため、発光素子から出た熱は放熱板から空気中に放散される。
【００９７】
このようにして、十分な放熱性を有し、大電流を流す発光素子のように発熱量が多い発光素子にも対応することができるＬＥＤとなる。
【００９８】
請求項８の発明にかかるＬＥＤ配列板は、請求項７に記載のＬＥＤが前記回路基板に複数個配列されているものである。
【００９９】
これによって、放熱性に優れたＬＥＤを回路基板上に集積することができ、回路基板は放熱の役割は果たしていないので、ＬＥＤ配列板の使用目的に応じた個数・配列・間隔でＬＥＤを並べることができ、各発光素子に使用目的に応じた光学系を取付けることができる。
【０１００】
このようにして、放熱性に優れたＬＥＤを使用目的に応じて回路基板上に並べることができるＬＥＤ配列板となる。
【０１０１】
請求項９の発明にかかるＬＥＤまたはＬＥＤ配列板は、請求項７または請求項８の構成において、前記放熱板に複数の小さい貫通孔が穿設されているものである。
【０１０２】
これによって、放熱板の放熱効果がより一層大きくなり、さらに放熱性に優れたＬＥＤ及びＬＥＤ配列板となる。
【０１０３】
請求項１０の発明にかかるＬＥＤまたはＬＥＤ配列板は、請求項７または請求項８の構成において、前記放熱板は金属製であり、前記放熱板に切り込みを入れて前記放熱板に対して折り曲げてなる放熱フィンが形成されているものである。
【０１０４】
これによって、放熱板の放熱効果がより一層大きくなり、さらに放熱性に優れたＬＥＤ及びＬＥＤ配列板となる。
【図面の簡単な説明】
【図１】図１（ａ）は本発明の実施の形態１にかかる発光ダイオードの全体構成（両端は省略）を示す平面図、（ｂ）は（ａ）からセラミックス基板を取り除いた状態を示す平面図、（ｃ）は（ａ）のＡ−Ａ断面を示す断面図である。
【図２】図２（ａ）は本発明の実施の形態１の変形例にかかる発光ダイオードの全体構成（両端は省略）を示す（ｂ）のＢ−Ｂ断面図、（ｂ）は底面図である。
【図３】図３は本発明の実施の形態１の別の変形例にかかる発光ダイオードの全体構成（両端は省略）を示す側面図である。
【図４】図４は本発明の実施の形態２にかかる発光ダイオードの全体構成（両端は省略）を示す断面図である。
【図５】図５は本発明の実施の形態３にかかる発光ダイオードの全体構成（両端は省略）を示す断面図である。
【図６】図６は本発明の実施の形態４にかかる発光ダイオードの全体構成及び発光ダイオード配列板の一部を示す平面図である。
【図７】図７は本発明の実施の形態４の第１変形例にかかる発光ダイオードの全体構成を示す平面図である。
【図８】図８（ａ）は本発明の実施の形態４の第２変形例にかかる発光ダイオードの全体構成を示す平面図、（ｂ）は（ａ）のＡ−Ａ断面図である。
【図９】図９は従来のフリップチップ型発光ダイオードの一例を示す断面図である。
【符号の説明】
１，１１，２１，３１，３６，４１，４６  発光ダイオード
２  発光素子
３  セラミックス基板
４ａ，４ｂ  セラミックス基板の回路パターン
６，１２，３８，４２，４７  放熱板
１２ａ  波形
３５  発光ダイオード配列板
３７  回路基板
３７ａ  括れた部分を有する貫通孔
４３  複数の小さい貫通孔
４９  放熱フィン
【図１】
2004207367.tif 000003
【図２】
2004207367.tif 000004
【図３】
2004207367.tif 000005
【図４】
2004207367.tif 000006
【図５】
2004207367.tif 000007
【図６】
2004207367.tif 000008
【図７】
2004207367.tif 000009
【図８】
2004207367.tif 000010
【図９】
2004207367.tif 000011